(57)【要約】【課題】高解像度に対応しつつも、小型、広画角で、明るい読取用レンズを提供する。【解決手段】この発明の読取用レンズは、物体１００側から順に、負の屈折力を有する第１レンズ群Ｇ11、正の屈折力を有する第２レンズ群Ｇ12、および負の屈折力を有する第３レンズ群Ｇ13が配置されて構成される。第１レンズ群Ｇ11は、物体１００側から順に、負レンズ１１１、像面１０１側に凸面を向けたメニスカスレンズ１１２が配置されて構成されている。第２レンズ群Ｇ12は、正の屈折力を有し、両面に非球面が形成された第１レンズ１２１を含んでいる。第３レンズ群Ｇ13は、像面１０１側に凸面を向けた２枚のメニスカス凹レンズ１３１，１３２で構成されている。【選択図】図１
2008191363.tif 000002
【特許請求の範囲】
【請求項１】
物体側から順に、
１枚または２枚の負レンズと像面側に凸面を向けたメニスカスレンズとにより構成され、全体として負の屈折力を有する第１レンズ群と、
正の屈折力を有し、片面または両面に非球面が形成された第１レンズを含み構成され、全体として正の屈折力を有する第２レンズ群と、
像面側に凸面を向けたメニスカス凹レンズ１枚または２枚により構成され、全体として負の屈折力を有する第３レンズ群と、
が配置されて構成され、
光学系の全長をＬa、前記第１レンズ群の第１レンズ第１面から前記第２レンズ群の第２レンズ第１面までの距離をＬ2とするとき、次の条件式を満足することを特徴とする読取用レンズ。
０．２５＜Ｌ2／Ｌa＜０．４５
【請求項２】
前記第２レンズ群は、前記第１レンズの像面側に配置された、凸レンズからなる第２レンズと、凹レンズからなる第３レンズとを含み構成され、
前記第２レンズのアッベ数をν2、前記第３レンズのアッベ数をν3とするとき、次の条件式を満足することを特徴とする請求項１に記載の読取用レンズ。
３１＜ν2−ν3
【請求項３】
前記読取用レンズ全系の焦点距離をｆ、前記第３レンズ群の焦点距離をｆ3とするとき、次の条件式を満足することを特徴とする請求項１または２に記載の読取用レンズ。
−１．０８＜ｆ／ｆ3＜−０．５１
【発明の詳細な説明】
【技術分野】
【０００１】
この発明は、画像情報などを読み取るための読取用レンズに関する。
【背景技術】
【０００２】
従来より、バーコードや紙に印刷された画像などの情報を読み取るための装置としてイメージスキャナーや、コピー用カメラ、書画カメラなどが知られている。このような装置には、画像情報を読み取るための読取用レンズが備えられている（たとえば、特許文献１〜４を参照。）。
【０００３】
読取用レンズに対しては、歪曲収差や色収差などの諸収差が良好に補正されることが望まれる。また、近年、装置のダウンサイジング化が促進され、読取用レンズにもさらなる小型化、広角化が求められている。さらに、バーコードを読み取る際、従来の単純な１次元から、複雑な２次元バーコード読取に対応するために高解像化が必要となり、高解像で高いコントラストのＭＴＦ性能が求められている。
【０００４】
【特許文献１】特開平５−４５５８３号公報
【特許文献２】特開平６−９４９９３号公報
【特許文献３】特開２００５−１０１９７号公報
【特許文献４】特開２００２−２１４５２７号公報
【発明の開示】
【発明が解決しようとする課題】
【０００５】
上記特許文献１では、レトロフォーカスタイプのレンズが提案されている。しかし、この特許文献１に開示されたレンズは、メリジオナル方向の解像度が高くなっているが、非点収差が大きくサジタル方向の解像度が低くなるため、画像の読取用レンズとしては不適である。
【０００６】
従来より、読取用レンズには、絞りを挟んだ光学系が略対称になっている、いわゆるガウス型の光学系が広く採用されている。ガウス型光学系は、歪曲収差の発生量が少ない反面、サジタル像面とメリジオナル像面湾曲の変化が中間画角で反対方向に変化し、非点隔差が大きく発生しやすい。このため、ガウス型光学系は、高解像度が要求される画像読取装置に用いるには、性能が不十分であるという問題があった。
【０００７】
また、ガウス型光学系は、画角を大きくとることができないので、高解像を得るには光学系を大きくせざるを得ず、コンパクト化には適さないという問題もあった。さらに、収差補正のため、対称型のまま単純にレンズ枚数を追加しても非点隔差は小さくならず、収差を十分に小さくすることもできないため、画面周辺まで高解像化することは困難であった。
【０００８】
上記特許文献２では、ガウス型光学系にレンズを２枚追加して、上記問題点を解決しようとした光学系が提案されている。確かに、この特許文献２に開示された光学系は、メリジオナル方向とサジタル方向の解像度バランスは良くなっているが、全体の解像度は向上していない。
【０００９】
また、上記特許文献３でも、従来のガウス型光学系を改良し、解像度の向上を図った光学系が提案されている。この特許文献３に開示された光学系では、上記特許文献１や上記特許文献２に開示された光学系よりも高い解像は得られる。しかし、さらなる解像度の向上を図ろうとしても非点収差、コマ収差が小さくならず、さほどの効果は望めない。
【００１０】
一方、上記特許文献４では、従来のガウス型光学系とは異なる構成の光学系が提案されている。しかしながら、この特許文献４に開示された光学系は、Ｆナンバが５．５と暗く、また上記特許文献３に開示された光学系を超える解像度は得られないため、高解像の読取用レンズとしては不適である。
【００１１】
この発明は、上述した従来技術による問題点を解消するため、高解像度に対応しつつも、小型、広画角で、明るい読取用レンズを提供することを目的とする。
【課題を解決するための手段】
【００１２】
上述した課題を解決し、目的を達成するため、請求項１の発明にかかる読取用レンズは、物体側から順に、１枚または２枚の負レンズと像面側に凸面を向けたメニスカスレンズとにより構成され、全体として負の屈折力を有する第１レンズ群と、正の屈折力を有し、片面または両面に非球面が形成された第１レンズを含み構成され、全体として正の屈折力を有する第２レンズ群と、像面側に凸面を向けたメニスカス凹レンズ１枚または２枚により構成され、全体として負の屈折力を有する第３レンズ群と、が配置されて構成され、光学系の全長をＬa、前記第１レンズ群の第１レンズ第１面から前記第２レンズ群の第２レンズ第１面までの距離をＬ2とするとき、次の条件式を満足することを特徴とする。
（１）  ０．２５＜Ｌ2／Ｌa＜０．４５
【００１３】
この請求項１に記載の発明によれば、高解像度に対応しつつも、小型、広画角で、明るい読取用レンズを提供することができる。具体的には、前記第２レンズ群に含まれる第１レンズに非球面を形成することで、画面周辺まで球面収差、コマ収差などの諸収差を効果的に補正することができる。また、前記第３レンズ群をメニスカスレンズを用いて構成することにより、小型のレンズで、歪曲収差を増大させることなく、広画角化を図ることができる。とりわけ、前記条件式（１）を満足することで、光学性能を低下させることなく、レンズの小型化が達成できる。
【００１４】
また、請求項２の発明にかかる読取用レンズは、請求項１に記載の発明において、前記第２レンズ群が、前記第１レンズの像面側に配置された、凸レンズからなる第２レンズと、凹レンズからなる第３レンズとを含み構成され、前記第２レンズのアッベ数をν2、前記第３レンズのアッベ数をν3とするとき、次の条件式を満足することを特徴とする。
（２）  ３１＜ν2−ν3
【００１５】
この請求項２に記載の発明によれば、請求項１に記載の発明がもたらす効果に加え、軸上色収差および倍率の色収差をより良好に補正できる。
【００１６】
また、請求項３の発明にかかる読取用レンズは、請求項１または２に記載の発明において、前記読取レンズ全系の焦点距離をｆ、前記第３レンズ群の焦点距離をｆ3とするとき、次の条件式を満足することを特徴とする。
（３）  −１．０８＜ｆ／ｆ3＜−０．５１
【００１７】
この請求項３に記載の発明によれば、請求項１または２に記載の発明がもたらす効果に加え、歪曲収差と非点収差をより良好に補正できる。
【発明の効果】
【００１８】
この発明によれば、高解像度に対応しつつも、小型、広画角で、明るい読取用レンズを提供することができるという効果を奏する。この読取用レンズは、所定の条件を満足することにより、小型化、広画角化を達成するとともに、良好な収差補正が可能になる。
【発明を実施するための最良の形態】
【００１９】
以下、この発明にかかる読取レンズの好適な実施の形態を詳細に説明する。
【００２０】
この実施の形態にかかる読取レンズは、物体側から順に、負の屈折力を有する第１レンズ群と、正の屈折力を有する第２レンズ群と、負の屈折力を有する第３レンズ群と、が配置されて構成される。
【００２１】
前記第１レンズ群は、物体側から順に、１枚または２枚の負レンズと、像面側に凸面を向けたメニスカスレンズとが配置されて構成され、全体として負の屈折力を備えている。この第１レンズ群に含まれるメニスカスレンズは、像面側に凸面が向いている形状になっていれば、接合レンズで構成されていてもよい。
【００２２】
前記第２レンズ群は、物体側から順に、正の屈折力を有し、片面または両面に非球面が形成された第１レンズを含む複数のレンズで構成され、全体として正の屈折力を備えている。この第２レンズ群に含まれる第１レンズに非球面を形成することで、画面周辺まで球面収差、コマ収差などの諸収差を効果的に補正することができる。
【００２３】
前記第３レンズ群は、像面側に凸面を向けた、１枚または２枚のメニスカス凹レンズで構成され、全体として負の屈折力を備えている。この第３レンズ群をメニスカスレンズを用いて構成することにより、小型のレンズで、歪曲収差を増大させることなく、広画角化を図ることができる。
【００２４】
この発明は、高解像度に対応しつつも、小型、広画角（半画角が２３°以上）で、明るい（Ｆナンバが４程度）読取用レンズを提供することを目的としている。そこで、かかる目的を達成するため、前述の構成に加えて、以下に示すような各種条件を設定している。
【００２５】
まず、前記読取レンズの全長をＬa、前記第１レンズ群の第１レンズ第１面から前記第２レンズ群の第２レンズ第１面までの距離をＬ2とするとき、次の条件式を満足することが好ましい。
（１）  ０．２５＜Ｌ2／Ｌa＜０．４５
【００２６】
条件式（１）は、この実施の形態にかかる読取用レンズにおいて、収差補正とレンズ形状とのバランスを維持するための条件を示す式である。この条件式（１）を満足することで、光学性能を低下させることなく、レンズの小型化が達成できる。この条件式（１）においてその下限を下回ると、倍率の色収差の補正が困難となり、読取用レンズの光学性能を維持することができなくなる。一方、この条件式（１）においてその上限を超えると、入射光束が広がりすぎレンズを大きくしなければならず、読取用レンズの大型化を招く要因となる。
【００２７】
また、前記第２レンズ群を、前記第１レンズの像面側に配置された、凸レンズからなる第２レンズと、凹レンズからなる第３レンズとを含み構成するとよい。このとき、前記第２レンズのアッベ数をν2、前記第３レンズのアッベ数をν3とするとき、次の条件式を満足することが好ましい。
（２）  ３１＜ν2−ν3
【００２８】
条件式（２）は、この実施の形態にかかる読取用レンズにおいて、軸上色収差および倍率の色収差を良好に補正するための条件を示す式である。この条件式（２）を満足することで、軸上色収差および倍率の色収差を良好に補正できる。この条件式（２）においてその下限を下回ると、軸上色収差および倍率の色収差が大きくなりすぎ、収差補正が困難になる。
【００２９】
さらに、前記読取用レンズ全系の焦点距離をｆ、前記第３レンズ群の焦点距離をｆ3とするとき、次の条件式を満足することが好ましい。
（３）  −１．０８＜ｆ／ｆ3＜−０．５１
【００３０】
条件式（３）は、この実施の形態にかかる読取用レンズにおいて、歪曲収差（ディスト−ション）と非点収差を良好に補正するための条件を示す式である。この条件式（３）を満足することで、歪曲収差と非点収差を良好に補正できる。この条件式（３）においてその下限を下回ると、非点収差の補正が困難になり、画面周辺部の解像度が低下する。または、パワー不足を補う必要が生じ、その結果光学系が大型化する。一方、この条件式（３）においてその上限を超えると、前記第３レンズ群の全系に対する負のパワーが強くなりすぎて、歪曲収差の補正が困難になる。
【００３１】
この実施の形態にかかる読取用レンズは、前述した構成に加え、上記条件式（１）〜（３）をすべて満足すれば、諸収差の効果的な補正が可能な高い光学性能を備えた、小型、広画角で、明るい読取用レンズになる。また、高解像度に対応可能な読取用レンズになる。また、上記条件式（１）〜（３）をすべて満足しなくても、そのうちいずれかを満足すれば、各条件式に特有の効果を奏する、高い光学性能を備えた、小型、広画角で、明るい読取用レンズを実現できる。
【００３２】
なお、上記条件式（１）〜（３）で示された各数値の範囲は、当該数値の近傍値であれば、この発明で期待される効果は得られる。
【実施例】
【００３３】
以下、この発明にかかる読取用レンズの実施例を示す。
【００３４】
（実施例１）
図１は、実施例１にかかる読取用レンズの構成を示す光軸に沿う断面図である。この読取用レンズは、物体１００側から順に、負の屈折力を有する第１レンズ群Ｇ11、正の屈折力を有する第２レンズ群Ｇ12、および負の屈折力を有する第３レンズ群Ｇ13が配置されて構成される。
【００３５】
第１レンズ群Ｇ11は、物体１００側から順に、負レンズ１１１、像面１０１側に凸面を向けたメニスカスレンズ１１２が配置されて構成されている。
【００３６】
第２レンズ群Ｇ12は、物体１００側から順に配置された、正の屈折力を有する第１レンズ１２１、正の屈折力を有する第２レンズ１２２、および負の屈折力を有する第３レンズ１２３を含み構成されている。第１レンズ１２１の両面には、非球面が形成されている。第２レンズ１２２、第３レンズ１２３は、それぞれ凸レンズ、凹レンズで構成されている。また、第２レンズ１２２と第３レンズ１２３とは、接合されている。第３レンズ１２３の像面１０１側には、絞り１２４が配置されている。さらに、第２レンズ群Ｇ12の最終（最も像面１０１側）面には非球面が接合されている。
【００３７】
第３レンズ群Ｇ13は、像面１０１側に凸面を向けた２枚のメニスカス凹レンズ１３１，１３２で構成されている。
【００３８】
また、第３レンズ群Ｇ13と像面１０１との間には、光学フィルタ（またはカバーガラス）１４１が配置される。なお、この光学フィルタ（またはカバーガラス）１４１は必要に応じて配置されるものであり、不要な場合は省略可能である。
【００３９】
以下、実施例１にかかる読取用レンズに関する各種数値データを示す。
【００４０】
読取用レンズ全系の焦点距離（ｆ）＝31.1
Ｆナンバ（Ｆｎｏ．）＝4.0
半画角（ω）＝23.2°
【００４１】
（条件式（１）に関する数値）
Ｌ2／Ｌa＝0.38
【００４２】
（条件式（２）に関する数値）
ν2−ν3＝40.9
【００４３】
（条件式（３）に関する数値）
ｆ／ｆ3＝-0.98
【００４４】
ｄ0＝500.00
ｒ1＝-65.6733
ｄ1＝1.40    ｎｄ1＝1.69680    νｄ1＝55.53
ｒ2＝138.6762
ｄ2＝2.40
ｒ3＝-36.1974
ｄ3＝10.00    ｎｄ2＝1.77250    νｄ2＝49.60
ｒ4＝-50.7183
ｄ4＝1.00
ｒ5＝16.7646（非球面）
ｄ5＝6.70    ｎｄ3＝1.58313    νｄ3＝59.38
ｒ6＝713.4134（非球面）
ｄ6＝1.50
ｒ7＝16.7333
ｄ7＝3.00    ｎｄ4＝1.49700    νｄ4＝81.61
ｒ8＝-52.4998
ｄ8＝1.85    ｎｄ5＝1.58144    νｄ5＝40.75
ｒ9＝12.3912
ｄ9＝0.75
ｒ10＝∞（絞り）
ｄ10＝1.70
ｒ11＝13.7184
ｄ11＝3.20    ｎｄ6＝1.61800    νｄ6＝63.39
ｒ12＝-18.2020
ｄ12＝0.20
ｒ13＝-30.1333
ｄ13＝1.65    ｎｄ7＝1.54072    νｄ7＝47.23
ｒ14＝28.5417
ｄ14＝1.55
ｒ15＝-23.1121
ｄ15＝1.00    ｎｄ8＝1.58913    νｄ8＝61.18
ｒ16＝17.0779
ｄ16＝3.00    ｎｄ9＝1.64769    νｄ9＝33.80
ｒ17＝-65.1790
ｄ17＝0.20    ｎｄ10＝1.53610    νｄ10＝41.20
ｒ18＝-31.8914（非球面）
ｄ18＝1.80
ｒ19＝-15.0550
ｄ19＝2.00    ｎｄ11＝1.92286    νｄ11＝20.88
ｒ20＝-23.6063
ｄ20＝1.00
ｒ21＝-14.9138
ｄ21＝1.40    ｎｄ12＝1.88300    νｄ12＝40.78
ｒ22＝-19.3749
ｄ22＝10.00
ｒ23＝∞
ｄ23＝2.00    ｎｄ13＝1.51633    νｄ13＝64.15
ｒ24＝∞
ｄ24＝2.70
ｒ25＝∞
【００４５】
円錐係数（ｋ）および非球面係数（Ａ，Ｂ，Ｃ，Ｄ，Ｅ）
（第５面）
ｋ＝1.53960，Ａ＝0，
Ｂ＝-2.12567×10-5，  Ｃ＝5.71791×10-8，
Ｄ＝-8.56117×10-10，  Ｅ＝2.36604×10-11
（第６面）
ｋ＝530.6548，Ａ＝0，
Ｂ＝3.28718×10-5，  Ｃ＝2.30484×10-7，
Ｄ＝2.53946×10-9，  Ｅ＝4.52233×10-11
（第１８面）
ｋ＝-22.9259，Ａ＝0，
Ｂ＝4.76294×10-5，  Ｃ＝1.94981×10-6，
Ｄ＝-9.30561×10-9，  Ｅ＝1.59096×10-10
【００４６】
また、図２は、実施例１にかかる読取用レンズの諸収差図である。
【００４７】
（実施例２）
図３は、実施例２にかかる読取用レンズの構成を示す光軸に沿う断面図である。この読取用レンズは、物体２００側から順に、負の屈折力を有する第１レンズ群Ｇ21、正の屈折力を有する第２レンズ群Ｇ22、および負の屈折力を有する第３レンズ群Ｇ23が配置されて構成される。
【００４８】
第１レンズ群Ｇ21は、物体２００側から順に、負レンズ２１１、像面２０１側に凸面を向けたメニスカスレンズ２１２が配置されて構成されている。
【００４９】
第２レンズ群Ｇ22は、物体２００側から順に配置された、正の屈折力を有する第１レンズ２２１、正の屈折力を有する第２レンズ２２２、および負の屈折力を有する第３レンズ２２３を含み構成されている。第１レンズ２２１の像面２０１側面には、非球面が接合されている。第２レンズ２２２、第３レンズ２２３は、それぞれ凸レンズ、凹レンズで構成されている。また、第２レンズ２２２と第３レンズ２２３とは、接合されている。第３レンズ２２３の像面２０１側には、絞り２２４が配置されている。さらに、第２レンズ群Ｇ22の最終（最も像面２０１側）面には非球面が接合されている。
【００５０】
第３レンズ群Ｇ23は、像面２０１側に凸面を向けたメニスカス凹レンズ２３１で構成されている。
【００５１】
また、第３レンズ群Ｇ23と像面２０１との間には、光学フィルタ（またはカバーガラス）２４１が配置される。なお、この光学フィルタ（またはカバーガラス）２４１は必要に応じて配置されるものであり、不要な場合は省略可能である。
【００５２】
以下、実施例２にかかる読取用レンズに関する各種数値データを示す。
【００５３】
読取用レンズ全系の焦点距離（ｆ）＝31.1
Ｆナンバ（Ｆｎｏ．）＝4.0
半画角（ω）＝23.1°
【００５４】
（条件式（１）に関する数値）
Ｌ2／Ｌa＝0.30
【００５５】
（条件式（２）に関する数値）
ν2−ν3＝40.9
【００５６】
（条件式（３）に関する数値）
ｆ／ｆ3＝-0.79
【００５７】
ｄ0＝500.00
ｒ1＝-43.3746
ｄ1＝1.40    ｎｄ1＝1.80400    νｄ1＝46.58
ｒ2＝-836.3476
ｄ2＝1.60
ｒ3＝-22.7267
ｄ3＝6.00    ｎｄ2＝1.75520    νｄ2＝27.51
ｒ4＝-25.3354
ｄ4＝0.20
ｒ5＝15.6577
ｄ5＝4.75    ｎｄ3＝1.69680    νｄ3＝55.53
ｒ6＝65.6324
ｄ6＝0.30    ｎｄ4＝1.53610    νｄ4＝41.20
ｒ7＝45.7849（非球面）
ｄ7＝1.65
ｒ8＝14.1380
ｄ8＝3.00    ｎｄ5＝1.49700    νｄ5＝81.61
ｒ9＝-23.5101
ｄ9＝0.80    ｎｄ6＝1.58144    νｄ6＝40.75
ｒ10＝13.1334
ｄ10＝0.85
ｒ11＝∞（絞り）
ｄ11＝2.50
ｒ12＝15.4532
ｄ12＝2.48    ｎｄ7＝1.61800    νｄ7＝63.39
ｒ13＝-39.2644
ｄ13＝0.60
ｒ14＝-122.4597
ｄ14＝1.30    ｎｄ8＝1.54072    νｄ8＝47.23
ｒ15＝79.0782
ｄ15＝1.40
ｒ16＝-17.3949
ｄ16＝2.35    ｎｄ9＝1.58913    νｄ9＝61.18
ｒ17＝15.7153
ｄ17＝3.65    ｎｄ10＝1.64769    νｄ10＝33.80
ｒ18＝-68.1338
ｄ18＝0.20    ｎｄ11＝1.53610    νｄ11＝41.20
ｒ19＝-40.8482（非球面）
ｄ19＝2.10
ｒ20＝-15.6739
ｄ20＝2.00    ｎｄ12＝1.92286    νｄ12＝20.88
ｒ21＝-29.3490
ｄ21＝10.00
ｒ22＝∞
ｄ22＝2.00    ｎｄ13＝1.51633    νｄ13＝64.15
ｒ23＝∞
ｄ23＝2.30
ｒ24＝∞
【００５８】
円錐係数（ｋ）および非球面係数（Ａ，Ｂ，Ｃ，Ｄ，Ｅ）
（第７面）
ｋ＝16.4646，Ａ＝0，
Ｂ＝5.30388×10-6，  Ｃ＝-2.50319×10-7，
Ｄ＝4.16395×10-9，  Ｅ＝-4.88257×10-11
（第１９面）
ｋ＝-66.7243，Ａ＝0，
Ｂ＝1.69196×10-6，  Ｃ＝1.78594×10-6，
Ｄ＝-1.36092×10-8，  Ｅ＝4.96713×10-11
【００５９】
また、図４は、実施例２にかかる読取用レンズの諸収差図である。
【００６０】
（実施例３）
図５は、実施例３にかかる読取用レンズの構成を示す光軸に沿う断面図である。この読取用レンズは、物体３００側から順に、負の屈折力を有する第１レンズ群Ｇ31、正の屈折力を有する第２レンズ群Ｇ32、および負の屈折力を有する第３レンズ群Ｇ33が配置されて構成される。
【００６１】
第１レンズ群Ｇ31は、物体３００側から順に、負レンズ３１１、負レンズ３１２、および像面３０１側に凸面を向けたメニスカスレンズ３１３が配置されて構成されている。
【００６２】
第２レンズ群Ｇ32は、物体３００側から順に配置された、正の屈折力を有する第１レンズ３２１、正の屈折力を有する第２レンズ３２２、および負の屈折力を有する第３レンズ３２３を含み構成されている。第１レンズ３２１の両面には、非球面が形成されている。第２レンズ３２２、第３レンズ３２３は、それぞれ凸レンズ、凹レンズで構成されている。また、第２レンズ３２２と第３レンズ３２３とは、接合されている。第３レンズ３２３の像面３０１側には、絞り３２４が配置されている。さらに、第２レンズ群Ｇ32の最終（最も像面３０１側）面には非球面が接合されている。
【００６３】
第３レンズ群Ｇ33は、像面３０１側に凸面を向けた２枚のメニスカス凹レンズ３３１，３３２で構成されている。
【００６４】
また、第３レンズ群Ｇ33と像面３０１との間には、光学フィルタ（またはカバーガラス）３４１が配置される。なお、この光学フィルタ（またはカバーガラス）３４１は必要に応じて配置されるものであり、不要な場合は省略可能である。
【００６５】
以下、実施例３にかかる読取用レンズに関する各種数値データを示す。
【００６６】
読取用レンズ全系の焦点距離（ｆ）＝31.1
Ｆナンバ（Ｆｎｏ．）＝4.0
半画角（ω）＝30.7°
【００６７】
（条件式（１）に関する数値）
Ｌ2／Ｌa＝0.39
【００６８】
（条件式（２）に関する数値）
ν2−ν3＝40.9
【００６９】
（条件式（３）に関する数値）
ｆ／ｆ3＝-0.77
【００７０】
ｄ0＝500.00
ｒ1＝-727.5708
ｄ1＝1.80    ｎｄ1＝1.51633    νｄ1＝64.15
ｒ2＝52.9277
ｄ2＝0.95
ｒ3＝226.1759
ｄ3＝1.80    ｎｄ2＝1.51633    νｄ2＝64.15
ｒ4＝76.2756
ｄ4＝4.95
ｒ5＝-27.8154
ｄ5＝6.60    ｎｄ3＝1.75520    νｄ3＝27.51
ｒ6＝-34.5510
ｄ6＝0.45
ｒ7＝18.3484（非球面）
ｄ7＝6.00    ｎｄ4＝1.58313    νｄ4＝59.38
ｒ8＝124.0273（非球面）
ｄ8＝1.85
ｒ9＝14.2074
ｄ9＝3.00    ｎｄ5＝1.49700    νｄ5＝81.61
ｒ10＝-122.5311
ｄ10＝1.00    ｎｄ6＝1.58144    νｄ6＝40.75
ｒ11＝14.2330
ｄ11＝0.75
ｒ12＝∞（絞り）
ｄ12＝1.60
ｒ13＝16.4046
ｄ13＝3.30    ｎｄ7＝1.61800    νｄ7＝63.39
ｒ14＝-16.6584
ｄ14＝0.20
ｒ15＝-26.6596
ｄ15＝0.65    ｎｄ8＝1.54072    νｄ8＝47.23
ｒ16＝44.8887
ｄ16＝1.85
ｒ17＝-19.5518
ｄ17＝1.00    ｎｄ9＝1.58913    νｄ9＝61.18
ｒ18＝55.8023
ｄ18＝2.40    ｎｄ10＝1.64769    νｄ10＝33.80
ｒ19＝-88.6096
ｄ19＝0.20    ｎｄ11＝1.53610    νｄ11＝41.20
ｒ20＝-36.3204（非球面）
ｄ20＝2.15
ｒ21＝-15.0981
ｄ21＝2.00    ｎｄ12＝1.92286    νｄ12＝20.88
ｒ22＝-17.8512
ｄ22＝2.50
ｒ23＝-9.8386
ｄ23＝1.40    ｎｄ13＝1.90366    νｄ13＝31.32
ｒ24＝-13.0094
ｄ24＝10.00
ｒ25＝∞
ｄ25＝2.00    ｎｄ14＝1.51633    νｄ14＝64.15
ｒ26＝∞
ｄ26＝2.99
ｒ27＝∞
【００７１】
円錐係数（ｋ）および非球面係数（Ａ，Ｂ，Ｃ，Ｄ，Ｅ）
（第７面）
ｋ＝1.5586，Ａ＝0，
Ｂ＝-2.48343×10-5，  Ｃ＝5.86660×10-8，
Ｄ＝-1.39790×10-9，  Ｅ＝2.77096×10-11
（第８面）
ｋ＝-98.6639，Ａ＝0，
Ｂ＝2.28612×10-5，  Ｃ＝2.05737×10-7，
Ｄ＝1.66122×10-9，  Ｅ＝6.16610×10-11
（第２０面）
ｋ＝-32.4472，Ａ＝0，
Ｂ＝1.94978×10-5，  Ｃ＝1.51941×10-6，
Ｄ＝-8.95717×10-9，  Ｅ＝7.95469×10-11
【００７２】
また、図６は、実施例３にかかる読取用レンズの諸収差図である。
【００７３】
（実施例４）
図７は、実施例４にかかる読取用レンズの構成を示す光軸に沿う断面図である。この読取用レンズは、物体４００側から順に、負の屈折力を有する第１レンズ群Ｇ41、正の屈折力を有する第２レンズ群Ｇ42、および負の屈折力を有する第３レンズ群Ｇ43が配置されて構成される。
【００７４】
第１レンズ群Ｇ41は、物体４００側から順に、負レンズ４１１、像面４０１側に凸面を向けたメニスカスレンズ４１２が配置されて構成されている。
【００７５】
第２レンズ群Ｇ42は、物体４００側から順に配置された、正の屈折力を有する第１レンズ４２１、正の屈折力を有する第２レンズ４２２、および負の屈折力を有する第３レンズ４２３を含み構成されている。第１レンズ４２１の両面には、非球面が形成されている。第２レンズ４２２、第３レンズ４２３は、それぞれ凸レンズ、凹レンズで構成されている。第３レンズ４２３の像面４０１側には、絞り４２４が配置されている。さらに、第２レンズ群Ｇ42の最終（最も像面４０１側）面には非球面が接合されている。
【００７６】
第３レンズ群Ｇ43は、像面４０１側に凸面を向けた２枚のメニスカス凹レンズ４３１，４３２で構成されている。
【００７７】
また、第３レンズ群Ｇ43と像面４０１との間には、光学フィルタ（またはカバーガラス）４４１が配置される。なお、この光学フィルタ（またはカバーガラス）４４１は必要に応じて配置されるものであり、不要な場合は省略可能である。
【００７８】
以下、実施例４にかかる読取用レンズに関する各種数値データを示す。
【００７９】
読取用レンズ全系の焦点距離（ｆ）＝31.1
Ｆナンバ（Ｆｎｏ．）＝4.0
半画角（ω）＝23.2°
【００８０】
（条件式（１）に関する数値）
Ｌ2／Ｌa＝0.37
【００８１】
（条件式（２）に関する数値）
ν2−ν3＝34.4
【００８２】
（条件式（３）に関する数値）
ｆ／ｆ3＝-0.61
【００８３】
ｄ0＝500.00
ｒ1＝-63.9506
ｄ1＝1.40    ｎｄ1＝1.69680    νｄ1＝55.53
ｒ2＝134.1755
ｄ2＝2.40
ｒ3＝-42.6266
ｄ3＝10.00    ｎｄ2＝1.77250    νｄ2＝49.60
ｒ4＝-71.7247
ｄ4＝1.00
ｒ5＝16.2767（非球面）
ｄ5＝6.70    ｎｄ3＝1.58313    νｄ3＝59.38
ｒ6＝177.5194（非球面）
ｄ6＝1.50
ｒ7＝17.8274
ｄ7＝3.00    ｎｄ4＝1.49700    νｄ4＝81.61
ｒ8＝-34.7714
ｄ8＝0.30
ｒ9＝-34.1290
ｄ9＝1.85    ｎｄ5＝1.54072    νｄ5＝47.23
ｒ10＝13.2442
ｄ10＝0.65
ｒ11＝∞（絞り）
ｄ11＝1.80
ｒ12＝12.9643
ｄ12＝3.20    ｎｄ6＝1.61800    νｄ6＝63.39
ｒ13＝-21.4012
ｄ13＝0.20
ｒ14＝-50.0647
ｄ14＝1.65    ｎｄ7＝1.58144    νｄ7＝40.75
ｒ15＝33.6913
ｄ15＝1.55
ｒ16＝-19.7095
ｄ16＝1.00    ｎｄ8＝1.58913    νｄ8＝61.18
ｒ17＝-1073.0886
ｄ17＝3.00    ｎｄ9＝1.63980    νｄ9＝34.48
ｒ18＝-71.8974
ｄ18＝0.20    ｎｄ10＝1.53610    νｄ10＝41.20
ｒ19＝-57.9223（非球面）
ｄ19＝1.80
ｒ20＝-15.1180
ｄ20＝2.00    ｎｄ11＝1.92286    νｄ11＝20.88
ｒ21＝-16.4163
ｄ21＝1.20
ｒ22＝-10.9682
ｄ22＝1.40    ｎｄ12＝1.83400    νｄ12＝37.17
ｒ23＝-15.0200
ｄ23＝10.00
ｒ24＝∞
ｄ24＝2.00    ｎｄ13＝1.51633    νｄ13＝64.15
ｒ25＝∞
ｄ25＝2.77
ｒ26＝∞
【００８４】
円錐係数（ｋ）および非球面係数（Ａ，Ｂ，Ｃ，Ｄ，Ｅ）
（第５面）
ｋ＝1.5499，Ａ＝0，
Ｂ＝-1.90841×10-5，  Ｃ＝5.56012×10-8，
Ｄ＝-7.87857×10-10，  Ｅ＝1.63015×10-11
（第６面）
ｋ＝400.7227，Ａ＝0，
Ｂ＝3.26345×10-5，  Ｃ＝2.20318×10-7，
Ｄ＝1.09812×10-9，  Ｅ＝2.92685×10-11
（第１９面）
ｋ＝-112.6197，Ａ＝0，
Ｂ＝6.74916×10-5，  Ｃ＝2.01011×10-6，
Ｄ＝-1.03809×10-8，  Ｅ＝1.84688×10-10
【００８５】
また、図８は、実施例４にかかる読取用レンズの諸収差図である。
【００８６】
なお、上記数値データにおいて、ｒ1，ｒ2，・・・・は各レンズ、絞り面などの曲率半径、ｄ0，ｄ1，・・・・は各レンズ、絞り、光学フィルタなどの肉厚またはそれらの面間隔、ｎｄ1，ｎｄ2，・・・・は各レンズ、光学フィルタなどのｄ線における屈折率、νｄ1，νｄ2，・・・・は各レンズ、光学フィルタなどのｄ線におけるアッベ数を示している。
【００８７】
また、上記各非球面形状は、光軸方向をＸ、光軸と垂直な高さをＹとし、光の進行方向を正とするとき、以下に示す式により表される。
【００８８】
【数１】
2008191363.tif 000003
【００８９】
ただし、Ｒは近軸曲率半径、ｋは円錐係数、Ａ，Ｂ，Ｃ，Ｄ，Ｅはそれぞれ２次，４次，６次，８次，１０次の非球面係数である。
【００９０】
以上説明したように、この発明によれば、高解像度に対応しつつも、小型、広画角（半画角が２３°以上）で、明るい（Ｆナンバが４程度）読取用レンズを提供することができる。とくに、この発明にかかる読取用レンズは、上記条件式を満足することで、小型化、広画角化を達成するとともに、より良好な収差補正が可能になる。
【００９１】
また、この発明にかかる読取用レンズは、非球面が形成されたレンズを含んで構成されているため、少ないレンズ枚数で、諸収差を良好に補正することができる。
【産業上の利用可能性】
【００９２】
以上のように、この発明にかかる読取用レンズは、画像情報などの読取りに有用であり、とくに、バーコード情報を読み取るカメラや，紙画像情報を読み取るコピーカメラ、書画カメラなどに好適なものである。
【図面の簡単な説明】
【００９３】
【図１】実施例１にかかる読取用レンズの構成を示す光軸に沿う断面図である。
【図２】実施例１にかかる読取用レンズの諸収差図である。
【図３】実施例２にかかる読取用レンズの構成を示す光軸に沿う断面図である。
【図４】実施例２にかかる読取用レンズの諸収差図である。
【図５】実施例３にかかる読取用レンズの構成を示す光軸に沿う断面図である。
【図６】実施例３にかかる読取用レンズの諸収差図である。
【図７】実施例４にかかる読取用レンズの構成を示す光軸に沿う断面図である。
【図８】実施例４にかかる読取用レンズの諸収差図である。
【符号の説明】
【００９４】
Ｇ11 ，Ｇ21，Ｇ31，Ｇ41，第１レンズ群
Ｇ12 ，Ｇ22，Ｇ32，Ｇ42，第２レンズ群
Ｇ13 ，Ｇ23，Ｇ33，Ｇ43，第３レンズ群
１００，２００，３００，４００  物体
１０１，２０１，３０１，４０１  像面
１１１，２１１，３１１，３１２，４１１  負レンズ
１１２，２１２，３１３，４１２  メニスカスレンズ
１２１，２２１，３２１，４２１  第１レンズ
１２２，２２２，３２２，４２２  第２レンズ
１２３，２２３，３２３，４２３  第３レンズ
１２４，２２４，３２４，４２４  絞り
１３１，１３２，２３１，３３１，３３２，４３１，４３２  メニスカス凹レンズ
１４１，２４１，３４１，４４１  光学フィルタ（またはカバーガラス）
ΔＳ  サジタル像面
ΔＭ  メリジオナル像面
【図１】
2008191363.tif 000004
【図２】
2008191363.tif 000005
【図３】
2008191363.tif 000006
【図４】
2008191363.tif 000007
【図５】
2008191363.tif 000008
【図６】
2008191363.tif 000009
【図７】
2008191363.tif 000010
【図８】
2008191363.tif 000011